(57)【要約】【課題】フォーカルプレンシャッタにおいて、駆動部材の駆動ピンを通す地板の長孔から異物が進入するのを防止する。【解決手段】露光用の開口部１０ａ及び長孔１０ｂ，１０ｃを有する地板１０、開口部を開閉するべく地板の裏面側に移動自在に配置された羽根部材４０，５０、羽根部材を駆動するべく地板の表面側に移動自在に配置されると共に長孔を通して羽根部材に連結される駆動ピン６０ａ，７０ａを有する駆動部材６０，７０を備えたフォーカルプレンシャッタにおいて、駆動ピンの移動を許容しつつ地板の長孔を遮蔽する遮蔽部材９０を設けた。これによれば、構造の簡素化、装置の薄型化及び小型化等を達成しつつ、撮像素子等に影響を及ぼす摩耗粉、油滴（潤滑剤）等の異物が地板の長孔から撮像素子側に入り込むのを防止して、より高精細な画像を撮影することができる。【選択図】図４
2015143745.tif 000002
【特許請求の範囲】
【請求項１】
露光用の開口部及び長孔を有する地板と、前記開口部を開閉するべく前記地板の裏面側に移動自在に配置された羽根部材と、前記羽根部材を駆動するべく前記地板の表面側に移動自在に配置されると共に前記長孔を通して前記羽根部材に連結される駆動ピンを有する駆動部材と、を備えたフォーカルプレンシャッタであって、
前記駆動ピンの移動を許容しつつ前記地板の長孔を遮蔽する遮蔽部材を設けた、
ことを特徴とするフォーカルプレンシャッタ。
【請求項２】
前記遮蔽部材は、樹脂材料により形成された薄型のフィルム部材である、
ことを特徴とする請求項１に記載のフォーカルプレンシャッタ。
【請求項３】
前記遮蔽部材は、前記地板に設けられると共に前記駆動ピンの移動を許容する切込みを有する、
ことを特徴とする請求項１又は２に記載のフォーカルプレンシャッタ。
【請求項４】
前記地板には、前記長孔の一端側において前記駆動ピンを当接させる緩衝部材が設けられ、
前記遮断部材の切り込みは、前記駆動ピンの移動方向において前記緩衝部材と重なる領域まで形成されている、
ことを特徴とする請求項３に記載のフォーカルプレンシャッタ。
【請求項５】
前記羽根部材は、シャッタ動作時に、前記開口部を開放する先羽根及び前記開口部を閉鎖する後羽根を含み、
前記駆動部材は、前記先羽根に連結される駆動ピンを有する先羽根駆動部材及び前記後羽根に連結される駆動ピンを有する後羽根駆動部材を含み、
前記地板は、前記先羽根駆動部材の駆動ピンを通す長孔及び前記後羽根駆動部材の駆動ピンを通す長孔を有し、
前記遮断部材は、前記先羽根駆動部材の駆動ピンを通す長孔及び前記後羽根駆動部材の駆動ピンを通す長孔をそれぞれ遮蔽するように配置されている、
ことを特徴とする請求項１ないし４いずれか一つに記載のフォーカルプレンシャッタ。
【請求項６】
請求項１ないし５いずれか一つに記載のフォーカルプレンシャッタと、前記フォーカルプレンシャッタの後方に配置された撮像素子を含む、
ことを特徴とするカメラ。
【発明の詳細な説明】
【技術分野】
【０００１】
本発明は、露光用の開口部を開閉する羽根部材を有するフォーカルプレンシャッタに関し、特に、一眼カメラ、一眼レフカメラ、ミラーレスカメラ、レンジファインダカメラ等のデジタルカメラにおいて、露光用の開口部を開閉する羽根部材を、地板の長孔を通して連結された駆動部材により開閉駆動するフォーカルプレンシャッタ及びカメラに関する。
【背景技術】
【０００２】
従来のフォーカルプレンシャッタとしては、露光用の開口部を有する略矩形の地板、地板と所定間隔をおいて配置されそれぞれ羽根室を画定する中間板及び裏板、地板の開口部を開閉するべく地板と中間板の間の羽根室に移動自在に配置された先羽根（羽根部材）及び中間板と裏板の間の羽根室に移動自在に配置された後羽根（羽根部材）、先羽根を駆動するべく地板の表側に配置されると共に地板の長孔を通して先羽根に連結される駆動ピンを有する先羽根用駆動部材、後羽根を駆動するべく地板の表側に配置されると共に地板の長孔を通して後羽根に連結される駆動ピンを有する後羽根用駆動部材、先羽根用駆動部材及び後羽根駆動部材の駆動ピンをシャッタ動作完了時にそれぞれ当接させて衝撃を緩和するべく地板の長孔の端部に固定されたゴム製の緩衝部材等を備え、地板の長孔の周りに突出した壁を設け、シャッタ機構（各種の可動部材）の作動によって発生した摩耗粉等が長孔から羽根室内に進入し難くしたものが知られている（例えば、特許文献１を参照）。
【０００３】
しかしながら、このフォーカルプレンシャッタにおいては、地板の長孔の周りに突出した壁を設けるものであり、長孔の領域において、駆動ピンが通る領域以外の領域は依然として開放状態にあり、それ故に、地板の面に沿って移動して壁に衝突した摩耗粉や油滴（潤滑剤）等を捕らえることはできても、地板に垂直な方向から飛散してきた磨耗分や油敵等は、長孔の開放領域を通過して羽根室内に進入するため、異物混入対策（コンタミ対策）としては確実なものではなかった。
特に、近年の撮像素子の高画素化に伴い、撮像素子の撮像面に付着する異物（磨耗粉、油滴等）については、従来は影響の無かった数量や大きさ（サイズ）までも影響を及ぼすようになっており、より確実な異物混入対策が望まれている。
【先行技術文献】
【特許文献】
【０００４】
【特許文献１】特開２００３−２７０７００号公報
【発明の概要】
【発明が解決しようとする課題】
【０００５】
本発明は、上記の事情に鑑みて成されたものであり、その目的とするところは、構造の簡素化、装置の薄型化及び小型化等を図りつつ、撮像素子等に影響を及ぼす摩耗粉、油滴（潤滑剤）等の異物が地板の長孔から撮像素子側に入り込むのを防止して、より高精細な画像を撮影することのできるフォーカルプレンシャッタ及びそれを用いたカメラを提供することにある。
【課題を解決するための手段】
【０００６】
本発明のフォーカルプレンシャッタは、露光用の開口部及び長孔を有する地板と、開口部を開閉するべく地板の裏面側に移動自在に配置された羽根部材と、羽根部材を駆動するべく地板の表面側に移動自在に配置されると共に長孔を通して羽根部材に連結される駆動ピンを有する駆動部材とを備えたフォーカルプレンシャッタであって、上記駆動ピンの移動を許容しつつ地板の長孔を遮蔽する遮蔽部材を設けた、ことを特徴としている。
この構成によれば、駆動部材が地板の表面側に配置され、羽根部材が地板の裏面側に配置され、駆動部材の駆動ピンが地板の長孔を通して羽根部材に連結された構成において、駆動ピンが長孔の範囲内で往復動することにより、羽根部材が開口部を開閉する。
ここで、地板の長孔は、駆動ピンの移動を許容する遮蔽部材（例えば、駆動ピンと一体的に移動するように設けられて長孔を常時遮蔽するように地板の面に沿って移動する遮蔽部材、又は、地板に固定されて駆動ピンの相対的な移動を許容するように形成された遮蔽部材等）により遮蔽されているため、駆動部材を含む可動部材等から発生する摩耗粉や油滴（潤滑剤）等の異物が、長孔を通して羽根部材が配置された領域内に進入するのを防止することができ、それ故に、その背後に配置される撮像素子等に異物が付着するのを防止できる。
【０００７】
上記構成において、遮蔽部材は、樹脂材料により形成された薄型のフィルム部材である、構成を採用することができる。
この構成によれば、遮蔽部材として、樹脂材料で薄型に形成されたフィルム部材を用いることにより、構造の簡素化、装置の薄型化及び小型化、耐久性（耐摩耗性）等を達成しつつ、（遮蔽部材が地板に設けられる場合はその弾性変形等により）駆動ピンに対して負荷（抵抗力）を及ぼすことなく、駆動ピンを円滑に移動させることができる。
【０００８】
上記構成において、遮蔽部材は、地板に設けられると共に駆動ピンの移動を許容する切込みを有する、構成を採用することができる。
この構成によれば、遮蔽部材を地板に設けた場合に、駆動ピンの相対的な移動を許容するべく切り込みを設けたことにより、駆動ピンは切り込みを押し広げつつ移動することができ、又、遮蔽部材は駆動ピンが移動した後にその弾性力により遮蔽するように弾性復帰するため、摩耗粉や油滴（潤滑剤）等の異物の進入を防止しつつ、駆動ピンを円滑に移動させ得ると共に遮蔽部材の構造及び製造の簡略化等を達成することができる。
【０００９】
上記構成において、地板には、長孔の一端側において駆動ピンを当接させる緩衝部材が設けられ、遮断部材の切り込みは、駆動ピンの移動方向において緩衝部材と重なる領域まで形成されている、構成を採用することができる。
この構成によれば、遮蔽部材の切り込みが緩衝部材と重なる領域（駆動ピンの移動方向において、駆動ピンが緩衝部材に当接した位置を超える領域）まで形成されているため、駆動ピンが緩衝部材に当接する際に、遮蔽部材の抵抗が無く、駆動ピンを緩衝部材に確実に当接させて所望の緩衝作用を得ることができる。
【００１０】
上記構成において、羽根部材は、シャッタ動作時に、開口部を開放する先羽根及び開口部を閉鎖する後羽根を含み、駆動部材は、先羽根に連結される駆動ピンを有する先羽根駆動部材及び後羽根に連結される駆動ピンを有する後羽根駆動部材を含み、地板は、先羽根駆動部材の駆動ピンを通す長孔及び後羽根駆動部材の駆動ピンを通す長孔を有し、遮断部材は、先羽根駆動部材の駆動ピンを通す長孔及び後羽根駆動部材の駆動ピンを通す長孔をそれぞれ遮蔽するように配置されている、構成を採用することができる。
この構成によれば、先羽根駆動部材（の駆動ピン）により先羽根が開閉駆動され、後羽根駆動部材（の駆動ピン）により後羽根が開閉駆動されて、シャッタ動作（露光動作）が行われ、先羽根駆動部材の駆動ピンが通る長孔と後羽根駆動部材の駆動ピンが通る長孔が、遮蔽部材によりそれぞれ遮蔽されているため、先羽根駆動部材及び後羽根駆動部材等から発生する摩耗粉や油滴（潤滑剤）等の異物が、二つの長孔を通して先羽根及び後羽根が配置された領域内に進入するのを防止することができ、それ故に、その背後に配置される撮像素子等に異物が付着するのを防止できる。
【００１１】
本発明のカメラは、上記の構成をなすいずれか一つのフォーカルプレンシャッタと、フォーカルプレンシャッタの後方に配置された撮像素子を含む、ことを特徴としている。
この構成によれば、構造の簡素化、装置の薄型化及び小型化等を達成しつつ、撮像素子に影響を及ぼす摩耗粉、油滴（潤滑剤）等の異物が地板の長孔から撮像素子側に入り込むのを防止でき、高精細な画像を撮影することができる。
【発明の効果】
【００１２】
上記構成をなすフォーカルプレンシャッタによれば、構造の簡素化、装置の薄型化及び小型化等を達成しつつ、撮像素子等に影響を及ぼす摩耗粉、油滴（潤滑剤）等の異物が地板の長孔から撮像素子側に入り込むのを防止して、より高精細な画像を撮影することのできるフォーカルプレンシャッタ及びカメラを得ることができる。
【図面の簡単な説明】
【００１３】
【図１】本発明に係るフォーカルプレンシャッタの一実施形態を示すものであり、羽根部材（先羽根及び後羽根）がシャッタ動作前（露光動作前）のセット位置にセットされた状態を示す平面図である。
【図２】図１に示すフォーカルプレンシャッタにおいて、羽根部材（先羽根及び後羽根）がシャッタ動作を完了した状態を示す平面図である。
【図３】図１に示すフォーカルプレンシャッタに含まれる駆動部材（先羽根駆動部材）、地板の長孔、長孔を遮蔽するように配置された遮蔽部材、長孔に通された駆動ピンの関係を示す部分斜視図である。
【図４】図１に示すフォーカルプレンシャッタに含まれる駆動部材（先羽根駆動部材）、地板の長孔、長孔を遮蔽するように配置された遮蔽部材、長孔に通された駆動ピンの関係を示す部分平面図である。
【図５】図１に示すフォーカルプレンシャッタに含まれる駆動部材（先羽根駆動部材）、地板の長孔、長孔を遮蔽するように配置された遮蔽部材、長孔に通された駆動ピンの関係を示す部分断面図である。
【発明を実施するための形態】
【００１４】
以下、本発明の実施形態について、添付図面を参照しつつ説明する。
この実施形態に係るフォーカルプレンシャッタは、図１及び図２に示すように、露光用の開口部１０ａ及び二つの長孔１０ｂ，１０を有する地板１０、地板１０と所定間隔をおいて配置された裏板２０、地板１０と裏板２０の間に配置された中間板３０、地板１０の裏面側（地板１０と中間板３０の間）に移動自在に配置された羽根部材としての先羽根４０、地板１０の裏面側（中間板３０と裏板２０の間）に移動自在に配置された羽根部材としての後羽根５０、先羽根４０を駆動するべく地板１０の表面側に移動自在に配置された駆動部材としての先羽根駆動部材６０、後羽根５０を駆動するべく地板１０の表面側に移動自在に配置された駆動部材としての後羽根駆動部材７０、先羽根駆動部材６０の駆動ピン６０ａを及び後羽根駆動部材７０の駆動ピン７０ａをそれぞれ当接させるべく長孔１０ｂ，１０ｃの一端側に設けられた二つの緩衝部材８０，８０、地板１０の二つの長孔１０ｂ，１０ｃをそれぞれ遮蔽するように設けられた二つの遮蔽部材９０，９０、先羽根４０及び後羽根５０（すなわち、先羽根駆動部材６０及び後羽根駆動部材７０）をシャッタ動作前（露光動作前）のセット位置にセットするセット部材（不図示）、セット部材を駆動する駆動機構（不図示）、先羽根駆動部材６０及び後羽根駆動部材７０をセット位置に吸着保持する二つの電磁石（不図示）等を備えている。
【００１５】
地板１０は、図１ないし図５に示すように、略矩形の平板状に形成されており、略矩形をなす露光用の開口部１０ａ、円弧部分及び半円部分が連続する長孔１０ｂ及び長孔１０ｃ、先羽根４０を回動自在に支持するべく羽根室側（裏面側）に立設された支軸１０ｄ，１０ｅ、後羽根５０を回動自在に支持するべく羽根室側（裏面側）に立設された支軸１０ｆ，１０ｇ、先羽根駆動部材６０を回動自在に支持するべく羽根室の外側（表面側）に立設された支軸１０ｈ、後羽根駆動部材７０を回動自在に支持するべく羽根室の外側（表面側）に立設された支軸１０ｉ等を備えている。
裏板２０は、図１、図２、図５に示すように、地板１０と平行に所定間隔をおいて配置されて地板１０に着脱自在に固定され、開口部１０ａに対応する開口部２０ａ等を備えている。
中間板３０は、図１、図２、図５に示すように、地板１０と裏板２０の間に配置され、地板１０と協働して先羽根４０を収容する羽根室を画定しかつ裏板２０と協働して後羽根５０を収容する羽根室を画定するものであり、開口部１０ａに対応する開口部３０ａ等を備えている。
【００１６】
先羽根４０は、図１及び図２に示すように、４枚の羽根本体４１，４２，４３，４４、羽根本体４１，４２，４３，４４を連結する２つのアーム４５，４６により構成されている。
アーム４５は、支軸１０ｄにより回動自在に支持されると共に、その一部が先羽根駆動部材６０の駆動ピン６０ａに連結されている。
アーム４６は、支軸１０ｅにより回動自在に支持されている。
そして、アーム４５が、図１に示すように先羽根駆動部材６０により図中の上方に向けて（反時計回りに）駆動されることにより、４枚の羽根本体４１，４２，４３，４４が展開して開口部１０ａを閉鎖し、一方、図２に示すように先羽根駆動部材６０により図中の下方に向けて（時計回りに）駆動されることにより、４枚の羽根本体４１，４２，４３，４４が重なり合って開口部１０ａを開放するようになっている。
【００１７】
後羽根５０は、図１及び図２に示すように、４枚の羽根本体５１，５２，５３，５４、羽根本体５１，５２，５３，５４を連結する２つのアーム５５，５６により構成されている。
アーム５５は、支軸１０ｆにより回動自在に支持されると共に、その一部が後羽根駆動部材７０の駆動ピン７０ａに連結されている。
アーム５６は、支軸１０ｇにより回動自在に支持されている。
そして、アーム５５が、図１に示すように後羽根駆動部材７０により図中の上方に向けて（反時計回りに）駆動されることにより、４枚の羽根本体５１，５２，５３，５４が重なり合って開口部１０ａを開放し、一方、図２に示すように後羽根駆動部材７０により図中の下方に向けて（時計回りに）駆動されることにより、４枚の羽根本体５１，５２，５３，５４が展開して開口部１０ａを閉鎖するようになっている。
【００１８】
先羽根駆動部材６０は、図１及び図２に示すように、先羽根４０のアーム４５が連結される駆動ピン６０ａ、シャッタ動作前（露光動作前）のセット位置にセットする際にセット部材が係合して反時計回りに回転力が及ぼされる係合部６０ｂ、電磁石により吸着される被吸着部（不図示）等を備えている。
ここで、駆動ピン６０ａは、地板１０の長孔１０ｂを通過する領域が円柱状に形成さており、遮蔽部材９０の切り込み９１を押し広げるように挿入されている。
尚、駆動ピン６０ａは、遮蔽部材９０の切り込み９１を押し広げる量を少なくするため、切り込み９１の方向に長い楕円形状等であってもよい。
そして、先羽根駆動部材６０は、支軸１０ｈにより回動自在に支持されると共に付勢バネ（不図示）により時計回りに回転付勢され、駆動ピン６０ａが長孔１０ｂに移動自在に挿入されると共に先羽根４０のアーム４５に連結されており、休止状態で付勢バネにより時計回りに回転させられて先羽根４０を開放位置に移動させると共に駆動ピン６０ａが緩衝部材８０に当接し、一方、セット部材により反時計回りに回転させられて先羽根４０を閉鎖位置に移動させ、レリーズ等の信号による露光動作時に電磁石の通電により被吸着部が吸着されてシャッタ動作前のセット位置に保持され、電磁石を非通電とすることにより磁力による吸着が解除されて、付勢バネの付勢力により時計回りに回転させられて先羽根４０を開放位置に移動させるようになっている。
【００１９】
後羽根駆動部材７０は、図１及び図２に示すように、後羽根５０のアーム５５が連結される駆動ピン７０ａ、シャッタ動作前（露光動作前）のセット位置にセットする際にセット部材が係合して反時計回りに回転力が及ぼされる係合部７０ｂ、電磁石により吸着される被吸着部（不図示）等を備えている。
ここで、駆動ピン７０ａは、地板１０の長孔１０ｃを通過する領域が円柱状に形成さており、遮蔽部材９０の切り込み９１を押し広げるように挿入されている。
尚、駆動ピン７０ａは、遮蔽部材９０の切り込み９１を押し広げる量を少なくするため、切り込み９１の方向に長い楕円形状等であってもよい。
そして、後羽根駆動部材７０は、支軸１０ｉにより回動自在に支持されると共に付勢バネ（不図示）により時計回りに回転付勢され、駆動ピン７０ａが長孔１０ｃに移動自在に挿入されて後羽根５０のアーム５５に連結されており、休止状態で付勢バネにより時計回りに回転させられて後羽根５０を閉鎖位置に移動させると共に駆動ピン７０ａが緩衝部材８０に当接し、一方、セット部材により反時計回りに回転させられて後羽根５０を開放位置に移動させ、レリーズ等の信号による露動作動時に電磁石の通電により被吸着部が吸着されてシャッタ動作前のセット位置に保持され、電磁石を非通電とすることにより磁力による吸着が解除されて、付勢バネの付勢力により時計回りに回転させられて後羽根５０を閉鎖位置に移動させるようになっている。
【００２０】
緩衝部材８０，８０は、弾性変形可能なゴム材料等により形成されており、図１及び図２に示すように、地板１０の長孔１０ｂ，１０ｃの一端側の半円部分に嵌め込まれて固定され、シャッタ動作完了時に、駆動ピン６０ａ、７０ａを当接させて衝撃を緩和するようになっている。
【００２１】
遮蔽部材９０，９０は、図１ないし図５に示すように、樹脂材料（例えば、ポリエチレンテレフタレート等）を用いて、地板１０の長孔１０ｂ，１０ｃを遮蔽するように長孔１０ｂ，１０ｃの開口面積よりも十分広い面積をなす薄型（例えば、０．２ｍｍ〜０．３ｍｍの厚さ）のフィル部材として形成され、地板１０の裏面側に固定されている。
尚、固定手法としては、例えば、樹脂リベット締め、接着、その他の手法等を採用することができる。
そして、遮蔽部材９０，９０には、駆動ピン６０ａ，７０ａの相対的な移動を許容するように切り込み９１，９１が形成されている。
切り込み９１，９１は、図４に示すように、長孔１０ｂ，１０ｃの幅方向の中央を通る円弧線状に形成され、長孔１０ｂ，１０ｃの両端を越える長さに、かつ、駆動ピン６０ａ，７０ａの移動方向において緩衝部材８０と重なる領域まで形成されている。
【００２２】
このように、遮蔽部材９０，９０に対して、駆動ピン６０ａ，７０ａの相対的な移動を許容する切り込み９１，９１を設けたことにより、駆動ピン６０ａ，７０ａは、切り込み９１，９１を押し広げつつ移動することができ、又、遮蔽部材９０，９０は、駆動ピン６０ａ，７０ａが移動した後に切り込み９１，９１の対向縁部が密接に対向するように弾性復帰するため、摩耗粉や油滴（潤滑剤）等の異物の進入を防止しつつ、駆動ピン６０ａ，７０ａを円滑に移動させ得ることができ、又、遮蔽部材９０，９０の構造及び製造の簡略化等を達成することができる。
【００２３】
また、遮蔽部材９０，９０として、樹脂材料で薄型に形成されたフィルム部材を用いることにより、構造の簡素化、装置の薄型化及び小型化、耐久性（耐摩耗性）等を達成しつつ、駆動ピン６０ａ，７０ａに対して負荷（抵抗力）を及ぼすことなく、駆動ピン６０ａ，７０ａを円滑に移動させることができる。
さらに、切り込み９１，９１が駆動ピン６０ａ，７０ａの移動方向において緩衝部材８０，８０と重なる領域、すなわち、駆動ピン６０ａ，７０ａの移動方向において駆動ピン６０ａ，７０ａが緩衝部材８０，８０に当接した位置を超える領域まで延在するように形成されているため、駆動ピン６０ａ，７０ａが緩衝部材８０，８０に当接する際に、遮蔽部材９０，９０の抵抗が無く、駆動ピン６０ａ，７０ａを緩衝部材８０，８０に確実に当接させて所望の緩衝作用を得ることができる。
【００２４】
次に、このフォーカルプレンシャッタの動作について、図１及び図２を参照しつつ説明する。
先ず、シャッタ動作完了後（露光動作完了後）の休止状態においては、図２に示すように、先羽根駆動部材６０は時計回りに回転して、駆動ピン６０ａが緩衝部材８０に当接して停止すると共に、先羽根４０は開口部１０ａを開放した位置に停止し、又、後羽根駆動部材７０は時計回りに回転して、駆動ピン７０ａが緩衝部材８０に当接して停止すると共に、後羽根５０は開口部１０ａを閉鎖した位置に停止している。
この状態において、図２に示すように、地板１０の長孔１０ｂ，１０ｃは、遮蔽部材９０，９０により遮蔽されているため、先羽根駆動部材６０及び後羽根駆動部材７０を含む可動部材等から発生する摩耗粉や油滴（潤滑剤）等の異物が長孔１０ｂ，１０ｃを通して先羽根４０及び後羽根５０が配置された領域内に進入するのを防止できる。
【００２５】
ここで、レリーズ動作等により、シャッタ動作の準備指令が発せられると、セット部材によりセット動作が行われて、図１に示すように、先羽根駆動部材６０が反時計回りに回転してシャッタ動作前のセット位置（先羽根４０が開口部１０ａを閉鎖した状態）に位置付けられ、かつ、後羽根駆動部材７０が反時計回りに回転してシャッタ動作前のセット位置（後羽根５０が開口部１０ａを開放した状態）に位置付けられ、続いて、電磁石が通電されるとそれぞれの被吸着部が吸着されて、先羽根駆動部材６０及び後羽根駆動部材７０が時計回りに回転付勢する付勢バネの付勢力に抗してセット位置に保持される。そして、セット部材が休止位置に戻されて、先羽根駆動部材６０及び後羽根駆動部７０の時計回りの回転を規制する状態が解除される。
【００２６】
続いて、所望のタイミングで、一方の電磁石の通電が断たれると、図１に示すように、先羽根駆動部材６０が付勢バネの付勢力により時計回りに回転して、駆動ピン６０ａが長孔１０ｂ内において遮蔽部材９０の切り込み９１を押し広げつつ移動して緩衝部材８０に当接すると共に、先羽根４０が開口部１０ａを開放した位置に停止する。
続いて、所望のタイミングで、他方の電磁石の通電が断たれると、図１に示すように、後羽根駆動部材７０が付勢バネの付勢力により時計回りに回転して、駆動ピン７０ａが長孔１０ｃ内において遮蔽部材９０の切り込み９１を押し広げつつ移動して緩衝部材８０に当接すると共に、後羽根５０が開口部１０ａを閉鎖した位置に停止する。
以上により、先羽根４０及び後羽根５０による開口部１０ａの開閉動作が行われて、１回のシャッタ動作が完了する。
【００２７】
上記シャッタ動作に際して、先羽根駆動部材６０の駆動ピン６０ａは、長孔１０ｂ内において遮蔽部材９０の切り込み９１を押し広げつつ移動すると共に、遮蔽部材９０は、駆動ピン６０ａが移動した後に切り込み９１の対向縁部が密接に対向するように弾性復帰して長孔１０ｂを遮蔽するため、駆動ピン６０ａを円滑に移動させ得ると共に、長孔１０ｂを通して摩耗粉や油滴（潤滑剤）等の異物が進入するのを防止できる。
また、同様に、後羽根駆動部材７０の駆動ピン７０ａは、長孔１０ｃ内において遮蔽部材９０の切り込み９１を押し広げつつ移動すると共に、遮蔽部材９０は、駆動ピン７０ａが移動した後に切り込み９１の対向縁部が密接に対向するように弾性復帰して長孔１０ｃを遮蔽するため、駆動ピン７０ａを円滑に移動させ得ると共に、長孔１０ｃを通して摩耗粉や油滴（潤滑剤）等の異物が進入するのを防止できる。
【００２８】
以上述べたように、地板１０の長孔１０ｂ，１０ｃは、駆動ピン６０ａ，７０ａの移動を許容する遮蔽部材９０，９０（ここでは、地板１０に固定されて駆動ピン６０ａ，７０ａの相対的な移動を許容するように切り込み９１，９１が形成された遮蔽部材）により遮蔽されているため、駆動部材（先羽根駆動部材６０、後羽根駆動部材７０）を含む可動部材等から発生する摩耗粉や油滴（潤滑剤）等の異物が、長孔１０ｂ，１０ｃを通して羽根部材（先羽根４０及び後羽根５０）が配置された領域内に進入するのを防止することができ、それ故に、その背後に配置される撮像素子等に異物が付着するのを防止できる。
【００２９】
上記実施形態においては、遮蔽部材として、地板１０に設けられた（固定された）遮蔽部材９０，９０を示したが、これに限定されるものではなく、駆動部材（先羽根駆動部材６０、後羽根駆動部材７０）の駆動ピン６０ａ，７０ａと一体的に移動するように駆動ピン６０ａ，７０ａに設けられて地板１０の長孔１０ｂ，１０ｃを常時遮蔽しつつ地板１０の裏面（又は表面）に沿って移動する遮蔽部材を採用してもよい。
上記実施形態においては、遮蔽部材として、地板１０の裏面に配置して固定した遮蔽部材９０，９０を示したが、これに限定されるものではなく、地板１０の表面側に配置して固定した遮蔽部材を採用して、地板１０の表面側から裏面側に異物が進入するのを防止してもよい。この場合、長孔１０ｂ，１０ｃの凹部に異物が溜まるのを防止できる。
【００３０】
上記実施形態においては、遮蔽部材として、地板１０に設けられると共に駆動ピン６０ａ，７０ａの移動を許容するべく切り込み９１，９１を設けた遮蔽部材９０，９０を示したが、これに限定されるものではなく、切り込み９１，９１に替えて、長孔１０ｂ，１０ｃを遮蔽するように地板１０に固定されつつも駆動ピン６０ａ，７０ａと一緒に弾性変形し得るような柔軟性のある遮蔽部材を採用してもよい。
上記実施形態においては、駆動部材（先羽根駆動部材６０、後羽根駆動部材７０）の駆動ピンとして、断面が円柱状をなす駆動ピン６０ａ，７０ａを示したが、これに限定されるものではなく、所望の機械的強度が確保される限り、円柱状の外周面において、遮蔽部材９０の切り込み９１の各々の縁部を挿入させるような二つの凹溝を設け、各々の凹溝内に切り込み９１の縁部を挿入して駆動ピンを相対的に移動させるようにしてもよい。
この場合、切り込み９１を押し広げて変形させる量が減るため、切り込み９１の間に生じる隙間を極力無くすことができ、長孔１０ｂ，１０ｃをより確実に遮蔽することができる。
【００３１】
上記実施形態においては、羽根部材として先羽根４０及び後羽根５０を備え、駆動部材として先羽根駆動部材６０及び後羽根駆動部材７０を備えた構成において、先羽根駆動部材６０の駆動ピン６０ａを通す長孔１０ｂに遮蔽部材９０を配置し、後羽根駆動部材７０の駆動ピン７０ａを通す長孔１０ｃに遮蔽部材９０を配置した場合を示したが、これに限定されるものではなく、例えば、一つの羽根部材及び一つの駆動部材を備え、単に開口部を開放した状態から閉鎖した状態に移動することでシャッタ動作を行う構成において、一つの駆動部材の駆動ピンを通す一つの長孔に対して、本発明の遮蔽部材を配置する構成を採用してもよい。
【００３２】
上記実施形態においては、レンズ光学系、フォーカルプレンシャッタ、撮像素子等を含むカメラにおいて、地板１０に駆動部材（先羽根駆動部材６０、後羽根駆動部材７０）が配置された側（ここでは表面側）がレンズ光学系の光軸方向における被写体側に向けられ、地板１０に羽根部材（先羽根４０、後羽根５０）が配置された側（裏面側）がレンズ光学系の光軸方向における撮像素子側に向けられる構成を前提として、遮蔽部材９０が地板１０の長孔１０ｂ，１０ｃに配置される構成を示したが、これに限定されるものではなく、逆に、地板１０に駆動部材（先羽根駆動部材６０、後羽根駆動部材７０）が配置された側（ここでは表面側）がレンズ光学系の光軸方向における撮像素子側に向けられ、地板１０に羽根部材（先羽根４０、後羽根５０）が配置された側（裏面側）がレンズ光学系の光軸方向におけるに被写体側に向けられる構成において、本発明を採用してもよい。
【産業上の利用可能性】
【００３３】
以上述べたように、本発明のフォーカルプレンシャッタは、構造の簡素化、装置の薄型化及び小型化等を達成しつつ、撮像素子等に影響を及ぼす摩耗粉、油滴（潤滑剤）等の異物が地板の長孔から撮像素子側に入り込むのを防止でき、より高精細な画像を撮影するできるため、一眼カメラ、一眼レフカメラ、ミラーレスカメラ、レンジファインダカメラ等のデジタルカメラに適用できるのは勿論のこと、その他の露光用の開口部を備えた光学機器に対しても有用である。
【符号の説明】
【００３４】
１０  地板
１０ａ  開口部
１０ｂ，１０ｃ  長孔
２０  裏板
３０  中間板
４０  先羽根（羽根部材）
５０  後羽根（羽根部材）
６０  先羽根駆動部材（駆動部材）
６０ａ  駆動ピン
７０  後羽根駆動部材（駆動部材）
７０ａ  駆動ピン
８０  緩衝部材
９０  遮蔽部材（フィルム部材）
９１  切り込み
【図１】
2015143745.tif 000003
【図２】
2015143745.tif 000004
【図３】
2015143745.tif 000005
【図４】
2015143745.tif 000006
【図５】
2015143745.tif 000007
【手続補正書】
【提出日】平成26年2月6日(2014.2.6)
【手続補正１】
【補正対象書類名】図面
【補正対象項目名】全図
【補正方法】変更
【補正の内容】
【図１】
2015143745.tif 000008
【図２】
2015143745.tif 000009
【図３】
2015143745.tif 000010
【図４】
2015143745.tif 000011
【図５】
2015143745.tif 000012